(57)【要約】【課題】室内機のアドレスを空気調和機のシステム構成に従って自動的に設定を行い、室内機のアドレスのみで簡単に、室内機から室外機までの配管長差，高低差等の違いによる能力不均等を補正する。【解決手段】室外機１０に、室外通信装置１０１と、アドレス設定装置１０２と、圧縮機１０３、室内機２，３，４に、室内通信装置２１，３１，４１と、室内通信監視装置２２，３２，４２と、アドレス記憶装置２３，３３，４３と、配管温度検知装置２６，３６，４６と、冷媒流量制御装置２５，３５，４５と、冷媒流量決定装置２４，３４，４４とを備え、室内機２，３，４の配管温度にて自動的にアドレス設定を行い、設定されたアドレスにて冷媒流量を補正する。【選択図】図１
2005241126.tif 000002
【特許請求の範囲】
【請求項１】
室外機に設けられアドレス設定装置と室内通信装置との通信を行う室外通信装置と、前記室外機に設けられ室内機からの受信データにて室内機のアドレスを設定するアドレス設定装置と、前記室外機に設けられ配管接続にて室内機に冷媒を供給する圧縮機と、室内機に設けられ前記室外通信装置との通信を行う室内通信装置と、前記室内機に設けられ前記室内通信装置から送信されるデータの優先順位を比較する室内通信監視装置と、前記室内機に設けられ前記室外機から設定された室内アドレスを記憶するアドレス記憶装置と、前記室内機に設けられ室内配管温度を検知する配管温度検知装置と、前記室内機に設けられ冷媒の流量を制御する冷媒流量制御装置と、前記室内機に設けられ前記冷媒流量制御装置の開度を決定する冷媒流量決定装置とを備えたことを特徴とする空気調和機。
【請求項２】
室外機に設けられアドレス設定装置と室内通信装置との通信を行う室外通信装置と、前記室外機に設けられ室内機からの受信データにて室内機のアドレスを設定するアドレス設定装置と、前記室外機に設けられ室内機のアドレス設定の自動設定を開始する自動アドレス開始装置と、前記室外機に設けられ配管接続にて室内機に冷媒を供給する圧縮機と、室内機に設けられ前記室外通信装置との通信を行う室内通信装置と、前記室内機に設けられ前記室内通信装置から送信されるデータの優先順位を比較する室内通信監視装置と、前記室内機に設けられ前記室外機から設定された室内アドレスを記憶するアドレス記憶装置と、前記室内機に設けられ室内配管温度を検知する配管温度検知装置と、前記室内機に設けられ冷媒の流量を制御する冷媒流量制御装置と、前記室内機に設けられ前記冷媒流量制御装置の開度を決定する冷媒流量決定装置とを備えたことを特徴とする空気調和機。
【請求項３】
室外機に設けられアドレス設定装置と室内通信装置との通信を行う室外通信装置と、前記室外機に設けられ前記室外通信装置から送信されるデータの優先順位を比較する室外通信監視装置と、前記室外機に設けられ室内機からの受信データにて室内機のアドレスを設定するアドレス設定装置と、前記室外機に設けられ室内機のアドレス設定の自動設定を開始する自動アドレス開始装置と、前記室外機に設けられ配管接続にて室内機に冷媒を供給する圧縮機と、室内機に設けられ前記室外通信装置との通信を行う室内通信装置と、前記室内機に設けられ前記室内通信装置から送信されるデータの優先順位を比較する室内通信監視装置と、前記室内機に設けられ前記室外機から設定された室内アドレスを記憶するアドレス記憶装置と、前記室内機に設けられ室内配管温度を検知する配管温度検知装置と、前記室内機に設けられ冷媒の流量を制御する冷媒流量制御装置と、前記室内機に設けられ前記冷媒流量制御装置の開度を決定する冷媒流量決定装置とを備えたことを特徴とする空気調和機。
【請求項４】
室外機に設けられアドレス設定装置と室内通信装置との通信を行う室外通信装置と、前記室外機に設けられ前記室外通信装置から送信されるデータの優先順位を比較する室外通信監視装置と、前記室外機に設けられ室内機からの受信データにて室内機のアドレスを設定するアドレス設定装置と、前記室外機に設けられ室内機のアドレス設定の自動設定を開始する自動アドレス開始装置と、前記室外機に設けられ配管接続にて室内機に冷媒を供給する圧縮機と、前記室外機に設けられ室外アドレス及び自動で設定された室内アドレスを表示するシステムアドレス表示装置と、室内機に設けられ前記室外通信装置との通信を行う室内通信装置と、前記室内機に設けられ前記室内通信装置から送信されるデータの優先順位を比較する室内通信監視装置と、前記室内機に設けられ前記室外機から設定された室内アドレスを記憶するアドレス記憶装置と、前記室内機に設けられ室内配管温度を検知する配管温度検知装置と、前記室内機に設けられ冷媒の流量を制御する冷媒流量制御装置と、前記室内機に設けられ前記冷媒流量制御装置の開度を決定する冷媒流量決定装置とを備えたことを特徴とする空気調和機。
【発明の詳細な説明】
【技術分野】
【０００１】
本発明は、複数台接続した室内機のアドレスを自動設定する空気調和機のシステムにおいて、設置条件の違い等によって生じる能力差を自動的に補正する空気調和機に関するものである。
【背景技術】
【０００２】
従来この種の空気調和機は、シリアルナンバーや、乱数等を用いて、ランダムに室内機のアドレスを自動的に設定している。（例えば特許文献１参照）。
【０００３】
図５は前記特許文献１に記載された従来の空気調和機の構成ブロック図である。
【０００４】
図５に示すように、室内機１〜３と、シリアルナンバー記憶部１１と、室内機制御部１２と、室内機送信部１３と、室内機受信部１４と、室外機４と、室外機送信部２３と、室外機受信部２４から構成されている。
【特許文献１】特開平７−３０５８８６号公報
【発明の開示】
【発明が解決しようとする課題】
【０００５】
しかしながら、前記従来の構成では、室内機のシリアルナンバー記憶部に記憶されているシリアルナンバーで、室内アドレスが決定されるため、空気調和機のシステム構成とは全く無関係にアドレスが設定される。このことから、室内機から室外機までの配管長差、高低差等の違いによる能力不均等が生じ、配管長の長い室内機のみ能力がでないということとなる。またこの課題を解決するためには、室内機の配管温度を常に室外機が監視し、室外機が冷媒流量を補正するといった複雑な構成となるという課題を有していた。
【０００６】
本発明は、前記従来の課題を解決するもので、室内機のアドレスを空気調和機のシステム構成に従って自動的に設定を行い、室内機のアドレスのみで、簡単に室内機の室外機までの配管長差、高低差等の違いによる能力不均等を補正する空気調和機を提供することを目的とする。
【課題を解決するための手段】
【０００７】
前記従来の課題を解決するために、本発明の空気調和機は、室外機に設けられアドレス設定装置と室内通信装置との通信を行う室外通信装置と、室外機に設けられ室内機からの受信データにて室内機のアドレスを設定するアドレス設定装置と、室外機に設けられ配管接続にて室内機に冷媒を供給する圧縮機と、室内機に設けられ室外通信装置との通信を行う室内通信装置と、室内機に設けられ室内通信装置から送信されるデータの優先順位を比較する室内通信監視装置と、室内機に設けられ室外機から設定された室内アドレスを記憶するアドレス記憶装置と、室内機に設けられ室内配管温度を検知する配管温度検知装置と、室内機に設けられ冷媒の流量を制御する冷媒流量制御装置と、室内機に設けられ冷媒流量制御装置の開度を決定する冷媒流量決定装置を備えた構成とするものである。
【０００８】
上記構成によって、室内機のアドレスを空気調和機のシステム構成に従って自動的に設定を行い、室内機のアドレスのみで、簡単に室内機の室外機までの配管長差、高低差等の違いによる能力不均等を補正することができる。
【発明の効果】
【０００９】
本発明の空気調和機は、室内機のアドレスを空気調和機のシステム構成に従って自動的
に設定可能で、室内機増設時も室内機のアドレスを自動的に再設定可能で、室内機のアドレスのみで簡単に室内機から室外機までの配管長差、高低差等の違いによる能力不均等を補正することができる。また設定された空気調和機のシステム構成を簡単に確認することができる。
【発明を実施するための最良の形態】
【００１０】
第１の発明は、室外機に設けられアドレス設定装置と室内通信装置との通信を行う室外通信装置と、室外機に設けられ室内機からの受信データにて室内機のアドレスを設定するアドレス設定装置と、室外機に設けられ配管接続にて室内機に冷媒を供給する圧縮機と、室内機に設けられ室外通信装置との通信を行う室内通信装置と、室内機に設けられ室内通信装置から送信されるデータの優先順位を比較する室内通信監視装置と、室内機に設けられ室外機から設定された室内アドレスを記憶するアドレス記憶装置と、室内機に設けられ室内配管温度を検知する配管温度検知装置と、室内機に設けられ冷媒の流量を制御する冷媒流量制御装置と、室内機に設けられ冷媒流量制御装置の開度を決定する冷媒流量決定装置とを備えたことにより、接続されている全ての室内機のアドレスを配管長，高低差の違いによって能力供給されやすい順に自動的に設定できる。
【００１１】
第２の発明は、室外機に設けられアドレス設定装置と室内通信装置との通信を行う室外通信装置と、室外機に設けられ室内機からの受信データにて室内機のアドレスを設定するアドレス設定装置と、室外機に設けられ室内機のアドレス設定の自動設定を開始する自動アドレス開始装置と、室外機に設けられ配管接続にて室内機に冷媒を供給する圧縮機と、室内機に設けられ室外通信装置との通信を行う室内通信装置と、室内機に設けられ室内通信装置から送信されるデータの優先順位を比較する室内通信監視装置と、室内機に設けられ室外機から設定された室内アドレスを記憶するアドレス記憶装置と、室内機に設けられ室内配管温度を検知する配管温度検知装置と、室内機に設けられ冷媒の流量を制御する冷媒流量制御装置と、室内機に設けられ冷媒流量制御装置の開度を決定する冷媒流量決定装置とを備えたことにより、室内機を増設した場合でも、接続されている全ての室内機のアドレスを配管長，高低差の違いによって能力供給されやすい順に自動的に再度設定できる。
【００１２】
第３の発明は、室外機に設けられアドレス設定装置と室内通信装置との通信を行う室外通信装置と、室外機に設けられ室外通信装置から送信されるデータの優先順位を比較する室外通信監視装置と、室外機に設けられ室内機からの受信データにて室内機のアドレスを設定するアドレス設定装置と、室外機に設けられ室内機のアドレス設定の自動設定を開始する自動アドレス開始装置と、室外機に設けられ配管接続にて室内機に冷媒を供給する圧縮機と、室内機に設けられ室外通信装置との通信を行う室内通信装置と、室内機に設けられ室内通信装置から送信されるデータの優先順位を比較する室内通信監視装置と、室内機に設けられ室外機から設定された室内アドレスを記憶するアドレス記憶装置と、室内機に設けられ室内配管温度を検知する配管温度検知装置と、室内機に設けられ冷媒の流量を制御する冷媒流量制御装置と、室内機に設けられ冷媒流量制御装置の開度を決定する冷媒流量決定装置とを備えたことにより、複数の冷媒を同一通信線上に配線した場合でも、冷媒系統毎に接続されている全ての室内機のアドレスを、配管長，高低差の違いによって能力供給されやすい順に自動的に再度設定できる。
【００１３】
第４の発明は、室外機に設けられアドレス設定装置と室内通信装置との通信を行う室外通信装置と、室外機に設けられ前記室外通信装置から送信されるデータの優先順位を比較する室外通信監視装置と、室外機に設けられ室内機からの受信データにて室内機のアドレスを設定するアドレス設定装置と、室外機に設けられ室内機のアドレス設定の自動設定を開始する自動アドレス開始装置と、室外機に設けられ配管接続にて室内機に冷媒を供給する圧縮機と、室外機に設けられ室外アドレス及び自動で設定された室内アドレスを表示す
るシステムアドレス表示装置と、室内機に設けられ前記室外通信装置との通信を行う室内通信装置と、室内機に設けられ室内通信装置から送信されるデータの優先順位を比較する室内通信監視装置と、室内機に設けられ室外機から設定された室内アドレスを記憶するアドレス記憶装置と、室内機に設けられ室内配管温度を検知する配管温度検知装置と、室内機に設けられ冷媒の流量を制御する冷媒流量制御装置と、室内機に設けられ冷媒流量制御装置の開度を決定する冷媒流量決定装置とを備えたことにより、複数の冷媒を同一通信線上に配線した場合でも、冷媒系統毎に接続されている全ての室内機のアドレスを、配管長，高低差の違いによって能力供給されやすい順に自動的に再度設定できる。また室外アドレス及び接続室内アドレスを読み出して室外アドレスと接続室内アドレスを同時に表示することで、冷媒系統がどのような構成となっているかを簡単に確認することができる。
【００１４】
以下本発明の実施の形態について図面を参照して説明する。
【００１５】
（実施の形態１）
図１は、本発明の実施の形態１における空気調和機の構成ブロック図である。
【００１６】
図１において、１０は室外機であり、１０１はアドレス設定装置と室内通信装置との通信を行う室外通信装置であり、１０２は室内機からの受信データにて室内機のアドレスを設定するアドレス設定装置であり、１０３は配管接続にて室内機に冷媒を供給する圧縮機であり、２，３，４は室内機であり、２１，３１，４１は室外通信装置との通信を行う室内通信装置であり、２２，３２，４２は室内通信装置から送信されるデータの優先順位を比較する室内通信監視装置であり、２３，３３，４３は室外機から設定された室内アドレスを記憶するアドレス記憶装置であり、２６，３６，４６は室内配管温度を検知する配管温度検知装置であり、２５，３５，４５は冷媒の流量を制御する冷媒流量制御装置であり、２４，３４，４４は冷媒流量制御装置の開度を決定する冷媒流量決定装置である。
【００１７】
以上のように構成された空気調和機について、以下その動作を説明する。
【００１８】
室外機１０に電源が投入されることで、圧縮機１０３を動作させ、冷媒を室内機２，３，４に供給すると共に、室外通信装置１０１は、自動アドレス開始信号を室内通信装置２１，３１，４１に送信する。自動アドレス開始信号を受信した室内通信装置２１，３１，４１は、室内アドレス記憶装置２３，３３，４３から室内アドレスを読み出し、室内アドレス未決定であれば、所定時間経過後、室内通信装置２１，３１，４１は、配管温度検知装置２６，３６，４６から冷媒を供給されたことで、配管長、高低差の違いで異なる配管温度を読み取り、配管温度を含むアドレス設定要求信号を室外通信装置１０１に送信を開始する。
【００１９】
アドレス設定要求信号を送信する間、室内通信監視装置２２，３２，４２は、通信線上に送信される他の室内機２，３，４のアドレス設定信号に含まれる配管温度と、室内通信装置２１，３１，４１が送信しているアドレス設定要求信号に含まれる配管温度を監視し、配管温度が他の室内機２，３，４より高ければ、競合負け信号を室内通信装置２１，３１，４１に出力する。競合負け信号を入力した室内通信装置２１，３１，４１はアドレス設定要求信号の送信を中断することで、最も低い配管温度の室内機２，３，４の室内通信装置２１，３１，４１のみがアドレス設定要求信号を送信完了できる。
【００２０】
アドレス設定要求信号を受信した室外通信装置１０１は、アドレス設定装置１０２から現在接続されている室内機のアドレスに１を加えたアドレスを読み出し、読み出された室内アドレスを含むアドレス確認信号を室内機に送信する。アドレス確認信号を受信した競合負け信号の入力のない室内通信装置２１，３１，４１は、受信した室内アドレスを室内アドレス記憶装置２３，３３，４３に記憶する。アドレス確認信号を送信終了した室外通
信装置１０１は、再度自動アドレス開始信号を送信し、室内通信装置２１，３１，４１からアドレス設定要求信号を受信しなくなるまで、自動アドレス開始信号の送信を繰り返す。
【００２１】
以上説明した構成と制御により、自動的に、接続されている全ての室内機２，３，４のアドレスを配管長、高低差の違いによって能力供給されやすい順に室内アドレスを設定できる。そしてこのように決定された室内アドレスを元に、通常運転時、冷媒流量決定装置２４，３４，４４は、室内アドレスを読み出し、室内アドレスに対応した補正量を加え、冷媒流量制御装置２５，３５，４５の開度を決定することで、配管長、高低差の違いによる、能力不均等を補正することができる。
【００２２】
（実施の形態２）
図２は、本発明の実施の形態２における空気調和機の構成ブロック図である。
【００２３】
図２において、１０は室外機であり、１０１はアドレス設定装置と室内通信装置との通信を行う室外通信装置であり、１０２は室内機からの受信データにて室内機のアドレスを設定するアドレス設定装置であり、１０３は配管接続にて室内機に冷媒を供給する圧縮機であり、１０４は自動アドレス開始を指示する自動アドレス開始装置であり、２，３，４は室内機であり、２１，３１，４１は室外通信装置との通信を行う室内通信装置であり、２２，３２，４２は室内通信装置から送信されるデータの優先順位を比較する室内通信監視装置であり、２３，３３，４３は室外機から設定された室内アドレスを記憶するアドレス記憶装置であり、２６，３６，４６は室内配管温度を検知する配管温度検知装置であり、２５，３５，４５は冷媒の流量を制御する冷媒流量制御装置であり、２４，３４，４４は冷媒流量制御装置の開度を決定する冷媒流量決定装置である。
【００２４】
以上のように構成された空気調和機について、以下その動作を説明する。
【００２５】
自動アドレス開始装置１０４が自動アドレス開始を検知することで、圧縮機１０３を動作させ、冷媒を室内機２，３，４に供給すると共に、室外通信装置１０１は、アドレスリセット信号を室内通信装置２１，３１，４１に送信する。アドレスリセット信号を受信した室内通信装置２１，３１，４１は、室内アドレス記憶装置２３，３３，４３に記憶している室内アドレスをクリアする。また、室外通信装置１０１は、アドレスリセット信号送信後、自動アドレス開始信号を室内通信装置２１，３１，４１に送信する。自動アドレス開始信号を受信した室内通信装置２１，３１，４１は、所定時間経過後、配管温度検知装置２６，３６，４６から冷媒を供給されたことで、配管長、高低差の違いで異なる配管温度を読み取り、配管温度を含むアドレス設定要求信号を室外通信装置１０１に送信を開始する。
【００２６】
アドレス設定要求信号を送信する間、室内通信監視装置２２，３２，４２は、通信線上に送信される他の室内機２，３，４のアドレス設定信号に含まれる配管温度と、室内通信装置２１，３１，４１が送信しているアドレス設定要求信号に含まれる配管温度を監視し、配管温度が他の室内機２，３，４より高ければ、競合負け信号を室内通信装置２１，３１，４１に出力する。競合負け信号を入力した室内通信装置２１，３１，４１はアドレス設定要求信号の送信を中断することで、最も低い配管温度の室内機２，３，４の室内通信装置２１，３１，４１のみがアドレス設定要求信号を送信完了できる。
【００２７】
アドレス設定要求信号を受信した室外通信装置１０１は、アドレス設定装置１０２から現在接続されている室内機のアドレスに１を加えたアドレスを読み出し、読み出された室内アドレスを含むアドレス確認信号を室内機に送信する。アドレス確認信号を受信した競合負け信号の入力のない室内通信装置２１，３１，４１は、受信した室内アドレスを室内
アドレス記憶装置２３，３３，４３に記憶する。アドレス確認信号を送信終了した室外通信装置１０１は、再度自動アドレス開始信号を送信し、室内通信装置２１，３１，４１からアドレス設定要求信号を受信しなくなるまで、自動アドレス開始信号の送信を繰り返す。
【００２８】
以上説明した構成と制御により、室内機を増設した場合でも、自動的に、接続されている全ての室内機２，３，４のアドレスを配管長、高低差の違いによって能力供給されやすい順に室内アドレスを再度設定できる。そしてこのように決定された室内アドレスを元に、通常運転時、冷媒流量決定装置２４，３４，４４は、室内アドレスを読み出し、室内アドレスに対応した補正量を加え、冷媒流量制御装置２５，３５，４５の開度を決定することで、配管長、高低差の違いによる、能力不均等を補正することができる。
【００２９】
（実施の形態３）
図３は、本発明の実施の形態３における空気調和機の構成ブロック図である。
【００３０】
図３において、１０，１１は室外機であり、１０１，１１１はアドレス設定装置と室内通信装置との通信を行う室外通信装置であり、１０２，１１２は室内機からの受信データにて室内機のアドレスを設定するアドレス設定装置であり、１０３，１１３は配管接続にて室内機に冷媒を供給する圧縮機であり、１０４，１１４は自動アドレス開始を指示する自動アドレス開始装置であり、１０５，１１５は室外通信装置から送信されるデータの優先順位を比較する室外通信監視装置であり、１０６，１１６は室外アドレスを記憶する室外アドレス記憶装置であり、２，３，４，５は室内機であり、２１，３１，４１，５１は室外通信装置との通信を行う室内通信装置であり、２２，３２，４２，５２は室内通信装置から送信されるデータの優先順位を比較する室内通信監視装置であり、２３，３３，４３，５３は室外機から設定された室内アドレスを記憶するアドレス記憶装置であり、２６，３６，４６，５６は室内配管温度を検知する配管温度検知装置であり、２５，３５，４５，５５は冷媒の流量を制御する冷媒流量制御装置であり、２４，３４，４４，５４は冷媒流量制御装置の開度を決定する冷媒流量決定装置である。
【００３１】
以上のように構成された空気調和機について、以下その動作を説明する。
【００３２】
複数のシステムが同一通信線上に配線された場合、自動アドレス開始装置１０４，１１４のいずれかが自動アドレス開始を検知することで、室外通信装置１０１，１１１は、自動アドレス開始入力信号を他の室外通信装置１０１，１１１に送信する。自動アドレス開始入力信号を受信した室外通信装置１０１，１１１及び、自動アドレス開始を検知した室外通信装置１０１，１１１は、室外アドレス記憶装置１０６，１１６から室外アドレスを読み出し、室外アドレスを含む自動アドレス開始信号を送信開始する。自動アドレス開始信号を送信する間、室外通信監視装置１０５，１１５は、通信線上に送信される他の室外機１０，１１の自動アドレス開始信号に含まれる室外アドレスと、室外通信装置１０１，１１１が送信している自動アドレス開始信号に含まれる室外アドレスを監視し、室外アドレスが他の室外機１０，１１より高ければ、競合負け信号を室外通信装置１０１，１１１に出力する。
【００３３】
競合負け信号を入力した室外通信装置１０１，１１１は自動アドレス開始信号の送信を中断することで、最も低い室外アドレスの室外機１０，１１の室外通信装置１０１，１１１のみが自動アドレス開始信号を送信完了できる。自動アドレス開始信号を受信した室内通信装置２１，３１，４１，５１は室内アドレス記憶装置２３，３３，４３，５３に記憶している対応室外アドレスを読み出し、自動アドレス開始信号に含まれている室外アドレスと一致していなければ、一致するまで自動アドレス開始信号以外の信号を受信禁止とする。自動アドレス開始信号を送信完了できた室外機１０，１１は、圧縮機１０３，１１３
を動作させ、冷媒を室内機２，３，４，５に供給すると共に、室外通信装置１０１，１１１は、アドレスリセット信号を室内通信装置２１，３１，４１，５１に送信する。
【００３４】
アドレスリセット信号を受信した室内通信装置２１，３１，４１，５１は、室内アドレス記憶装置２３，３３，４３，５３に記憶している室内アドレスをクリアし、所定時間経過後、配管温度検知装置２６，３６，４６，５６から冷媒を供給されたことで、配管長、高低差の違いで異なる配管温度を読み取り、配管温度を含むアドレス設定要求信号を室外通信装置１０１，１１１に送信を開始する。アドレス設定要求信号を送信する間、室内通信監視装置２２，３２，４２，５２は、通信線上に送信される他の室内機２，３，４，５のアドレス設定信号に含まれる配管温度と、室内通信装置２１，３１，４１，５１が送信しているアドレス設定要求信号に含まれる配管温度を監視し、配管温度が他の室内機２，３，４，５より高ければ、競合負け信号を室内通信装置２１，３１，４１，５１に出力する。競合負け信号を入力した室内通信装置２１，３１，４１，５１はアドレス設定要求信号の送信を中断することで、最も低い配管温度の室内機２，３，４，５の室内通信装置２１，３１，４１，５１のみがアドレス設定要求信号を送信完了できる。
【００３５】
アドレス設定要求信号を受信した室外通信装置１０１，１１１は、アドレス設定装置１０２，１１２から現在接続されている室内機のアドレスに１を加えたアドレスを読み出し、読み出された室内アドレスを含むアドレス確認信号を室内機に送信する。アドレス確認信号を受信した競合負け信号の入力のない室内通信装置２１，３１，４１，５１は、受信した室内アドレスを室内アドレス記憶装置２３，３３，４３，５３に記憶する。アドレス確認信号を送信終了した室外通信装置１０１，１１１は、再度自動アドレス開始信号を送信し、室内通信装置２１，３１，４１，５１からアドレス設定要求信号を受信しなくなるまで、自動アドレス開始信号の送信を繰り返し、所定時間アドレス設定要求信号を受信しなければ、自動アドレス開始信号を送信開始した時点で、競合負けした室外通信装置１０１，１１１が再度自動アドレス開始信号を送信し、自動アドレスを再度開始する。
【００３６】
以上説明した構成と制御により、複数の冷媒を同一通信線上に配線した場合でも、自動的に、冷媒系統毎に、接続されている全ての室内機２，３，４，５のアドレスを配管長、高低差の違いによって能力供給されやすい順に室内アドレスを再度設定できる。そしてこのように決定された室内アドレスを元に、通常運転時、冷媒流量決定装置２４，３４，４４，５４は、室内アドレスを読み出し、室内アドレスに対応した補正量を加え、冷媒流量制御装置２５，３５，４５，５５の開度を決定することで、配管長、高低差の違いによる、能力不均等を複数の冷媒系統すべて補正することができる。
【００３７】
（実施の形態４）
図４は本発明の実施の形態４における空気調和機の構成ブロック図である。
【００３８】
図４において、１０，１１は室外機であり、１０１，１１１はアドレス設定装置と室内通信装置との通信を行う室外通信装置であり、１０２，１１２は室内機からの受信データにて室内機のアドレスを設定するアドレス設定装置であり、１０３，１１３は配管接続にて室内機に冷媒を供給する圧縮機であり、１０４，１１４は自動アドレス開始を指示する自動アドレス開始装置であり、１０５，１１５は室外通信装置から送信されるデータの優先順位を比較する室外通信監視装置であり、１０６，１１６は室外アドレス及び、接続室内アドレスを記憶する室外アドレス記憶装置であり、１０７，１１７は室外アドレス記憶装置から室外アドレスと、接続されている室内機の室内アドレスを表示するシステムアドレス表示装置であり、２，３，４，５は室内機であり、２１，３１，４１，５１は室外通信装置との通信を行う室内通信装置であり、２２，３２，４２，５２は室内通信装置から送信されるデータの優先順位を比較する室内通信監視装置であり、２３，３３，４３，５３は室外機から設定された室内アドレスを記憶するアドレス記憶装置であり、２６，３６
，４６，５６は室内配管温度を検知する配管温度検知装置であり、２５，３５，４５，５５は冷媒の流量を制御する冷媒流量制御装置であり、２４，３４，４４，５４は冷媒流量制御装置の開度を決定する冷媒流量決定装置である。
【００３９】
以上のように構成された空気調和機について、以下その動作を説明する。
【００４０】
複数のシステムが同一通信線上に配線された場合、自動アドレス開始装置１０４，１１４のいずれかが自動アドレス開始を検知することで、室外通信装置１０１，１１１は、自動アドレス開始入力信号を他の室外通信装置１０１，１１１に送信する。自動アドレス開始入力信号を受信した室外通信装置１０１，１１１及び、自動アドレス開始を検知した室外通信装置１０１，１１１は、室外アドレス記憶装置１０６，１１６から室外アドレスを読み出し、室外アドレスを含む自動アドレス開始信号を送信開始する。自動アドレス開始信号を送信する間、室外通信監視装置１０５，１１５は、通信線上に送信される他の室外機１０，１１の自動アドレス開始信号に含まれる室外アドレスと、室外通信装置１０１，１１１が送信している自動アドレス開始信号に含まれる室外アドレスを監視し、室外アドレスが他の室外機１０，１１より高ければ、競合負け信号を室外通信装置１０１，１１１に出力する。
【００４１】
競合負け信号を入力した室外通信装置１０１，１１１は自動アドレス開始信号の送信を中断することで、最も低い室外アドレスの室外機１０，１１の室外通信装置１０１，１１１のみが自動アドレス開始信号を送信完了できる。自動アドレス開始信号を受信した室内通信装置２１，３１，４１，５１は室内アドレス記憶装置２３，３３，４３，５３に記憶している対応室外アドレスを読み出し、自動アドレス開始信号に含まれている室外アドレスと一致していなければ、一致するまで自動アドレス開始信号以外の信号を受信禁止とする。自動アドレス開始信号を送信完了できた室外機１０，１１は、圧縮機１０３，１１３を動作させ、冷媒を室内機２，３，４，５に供給すると共に、室外通信装置１０１，１１１は、アドレスリセット信号を室内通信装置２１，３１，４１，５１に送信する。
【００４２】
アドレスリセット信号を受信した室内通信装置２１，３１，４１，５１は、室内アドレス記憶装置２３，３３，４３，５３に記憶している室内アドレスをクリアし、所定時間経過後、配管温度検知装置２６，３６，４６，５６から冷媒を供給されたことで、配管長、高低差の違いで異なる配管温度を読み取り、配管温度を含むアドレス設定要求信号を室外通信装置１０１，１１１に送信を開始する。アドレス設定要求信号を送信する間、室内通信監視装置２２，３２，４２，５２は、通信線上に送信される他の室内機２，３，４，５のアドレス設定信号に含まれる配管温度と、室内通信装置２１，３１，４１，５１が送信しているアドレス設定要求信号に含まれる配管温度を監視し、配管温度が他の室内機２，３，４，５より高ければ、競合負け信号を室内通信装置２１，３１，４１，５１に出力する。競合負け信号を入力した室内通信装置２１，３１，４１，５１はアドレス設定要求信号の送信を中断することで、最も低い配管温度の室内機２，３，４，５の室内通信装置２１，３１，４１，５１のみがアドレス設定要求信号を送信完了できる。
【００４３】
アドレス設定要求信号を受信した室外通信装置１０１，１１１は、アドレス設定装置１０２，１１２から現在接続されている室内機のアドレスに１を加えたアドレスを読み出し、読み出された室内アドレスを含むアドレス確認信号を室内機に送信とともに、接続されている室内機のアドレスに１加えたアドレスを接続室内アドレスとして、室外アドレス記憶装置１０６，１１６に記憶させる。
【００４４】
アドレス確認信号を受信した競合負け信号の入力のない室内通信装置２１，３１，４１，５１は、受信した室内アドレスを室内アドレス記憶装置２３，３３，４３，５３に記憶する。アドレス確認信号を送信終了した室外通信装置１０１，１１１は、再度自動アドレ
ス開始信号を送信し、室内通信装置２１，３１，４１，５１からアドレス設定要求信号を受信しなくなるまで、自動アドレス開始信号の送信を繰り返し、所定時間アドレス設定要求信号を受信しなければ、自動アドレス開始信号を送信開始した時点で、競合負けした室外通信装置１０１，１１１が再度自動アドレス開始信号を送信し、自動アドレスを再度開始する。
【００４５】
以上説明した構成と制御により、複数の冷媒を同一通信線上に配線した場合でも、自動的に、冷媒系統毎に、接続されている全ての室内機２，３，４，５のアドレスを配管長、高低差の違いによって能力供給されやすい順に室内アドレスを再度設定できる。そしてこのように決定された室内アドレスを元に、通常運転時、冷媒流量決定装置２４，３４，４４，５４は、室内アドレスを読み出し、室内アドレスに対応した補正量を加え、冷媒流量制御装置２５，３５，４５，５５の開度を決定することで、配管長、高低差の違いによる、能力不均等を複数の冷媒系統すべて補正することができる。
【００４６】
また、システムアドレス表示装置１０７，１１７は、自動アドレス設定後、室外アドレス記憶装置１０６，１１６から、室外アドレス及び接続室内アドレスを読み出し、室外アドレスと接続室内アドレスを同時に表示することで、冷媒系統がどのような構成となっているかを簡単に確認することができる。
【産業上の利用可能性】
【００４７】
本発明の空気調和機は、配管長，高低差の違いによる能力不均等を複数の冷媒系統すべて自動で補正することができるので、複数の室内機と複数の室外機を組み合わせたシステムエアコンとして有用である。
【図面の簡単な説明】
【００４８】
【図１】本発明の実施の形態１における空気調和機の構成ブロック図
【図２】本発明の実施の形態２における空気調和機の構成ブロック図
【図３】本発明の実施の形態３における空気調和機の構成ブロック図
【図４】本発明の実施の形態４における空気調和機の構成ブロック図
【図５】従来の空気調和機の構成ブロック図
【符号の説明】
【００４９】
２，３，４，５  室内機
２１，３１，４１，５１  室内通信装置
２２，３２，４２，５２  室内通信監視装置
２３，３３，４３，５３  室内アドレス記憶装置
２４，３４，４４，５４  冷媒流量決定装置
２５，３５，４５，５５  冷媒流量制御装置
２６，３６，４６，５６  配管温度検知装置
１０，１１  室外機
１０１，１１１  室外通信装置
１０２，１１２  アドレス設定装置
１０３，１１３  圧縮機
１０４，１１４  自動アドレス開始装置
１０５，１１５  室外通信監視装置
【図１】
2005241126.tif 000003
【図２】
2005241126.tif 000004
【図３】
2005241126.tif 000005
【図４】
2005241126.tif 000006
【図５】
2005241126.tif 000007